(57)【要約】【課題】簡易な構成であり、ＦＰＣを容易に挿入でき、しかも、接触子への位置合わせが容易なＦＰＣ用コネクタを提供する。【解決手段】複数のＣ形ばね状接触子５はソケットハウジング３に配列されている。カバーハウジング４は、ソケットハウジング３に回転結合されていると共に、ソケットハウジング３にＦＰＣ２が挿入された状態ではＣ形ばね状接触子５を加圧してＦＰＣ２の平面端末とを接続させる。カバーハウジング４は下板部３２の両側面を囲むように案内片４Ａと案内片４Ｂと天板部４Ｃを有して凹字状に形成されている。案内片４Ａと案内片４Ｂとの内壁間の間隔はＦＰＣ２の幅より僅かに大きく、ＦＰＣ２をソケットハウジング３に挿入する過程では、ＦＰＣ２は案内片４Ａ及び４Ｂとの内壁に規制されてＦＰＣ２とＣ形ばね状接触子５とは列方向に位置合わせできる。【選択図】      図１
2004193080.tif 000002
【特許請求の範囲】
【請求項１】
電線対プリント基板接続用コネクタにおいて電線にＦＰＣが用いられ、当該ＦＰＣが挿抜されるＦＰＣ用コネクタであって、
当該ＦＰＣが挿抜される端末差込口を備える絶縁性のソケットハウジングであって、当該端末差込口に臨むように配列されている複数のＣ形ばね状接触子を備えるソケットハウジングと、
前記端末差込口を開閉するように前記ソケットハウジングに回転結合されていると共に、前記ソケットハウジングに前記ＦＰＣが挿入されて前記端末差込口を閉じた状態では前記複数のＣ形ばね状接触子を加圧して当該Ｃ形ばね状接触子と前記ＦＰＣにおける平面端末とを接続させる絶縁性のカバーハウジングと、を備え、
前記ソケットハウジングは、前記ＦＰＣの挿入方向に対向するように突出している下板部を備え、
前記カバーハウジングは、前記下板部における両側面を挟むように相対向する第１の案内片と第２の案内片とこれら両案内片を一体にする天板部とを有し、当該第１の案内片、当該第２の案内片、当該天板部の内壁によって凹字状が形成されており、
前記第１の案内片と前記第２の案内片との内壁間の間隔は前記ＦＰＣの幅より僅かに大きく形成されており、
前記ＦＰＣが前記ソケットハウジングの端末差込口に挿入される過程では、挿入される当該ＦＰＣは前記第１の案内片と前記第２の案内片との内壁に規制されて当該ＦＰＣにおける露出導線と前記複数のＣ形ばね状接触子との列方向の位置合わせを可能としていることを特徴とするＦＰＣ用コネクタ。
【請求項２】
請求項１記載のＦＰＣ用コネクタにおいて、
前記カバーハウジングを閉じる過程では、当該カバーハウジングにおける回転軸側の終縁は当該ＦＰＣを前記Ｃ形ばね状接触子側に送り出すように作用し、
前記カバーハウジングが閉じられた状態では、前記Ｃ形ばね状接触子における弾性下腕は当該ＦＰＣの露出導線に接触するとともに当該ＦＰＣを押し上げる力を付勢しており、前記Ｃ形ばね状接触子における弾性上腕は当該ＦＰＣに当接している前記カバーハウジングを押し下げる力を付勢しているとともに前記カバーハウジングを開閉可能に保持しており、
前記弾性下腕は当該ＦＰＣを介して当該カバーハウジングが閉じる方向に回転するように押圧していることを特徴とするＦＰＣ用コネクタ。
【請求項３】
請求項１あるいは２いずれか記載のＦＰＣ用コネクタにおいて、前記複数のＣ形ばね状接触子は０．５ｍｍピッチで配列されており、当該Ｃ形ばね状接触子は４極から２０極まで配列可能とすることを特徴とするＦＰＣ用コネクタ。
【請求項４】
請求項１から３いずれか記載のＦＰＣ用コネクタがバックライトモジュールに実装されており、当該バックライトモジュールが搭載されていることを特徴とする携帯電話機。
【発明の詳細な説明】
【０００１】
【発明の属する技術分野】
本発明は、平形柔軟ケーブルであるＦＰＣ（Ｆｌｅｘｉｂｌｅ  Ｐｒｉｎｔｅｄ  Ｃｉｒｃｕｉｔ）用のコネクタおよびこれを用いた携帯電話機に関する。
【０００２】
【従来の技術】
近年の電子機器、例えば、携帯電話やディジタルカメラ等はダウンサイジングが加速している。こうした電子機器に実装される電子部品やプリント基板間を接続するには、平型柔軟ケーブルであるＦＰＣが使用され、ＦＰＣ用コネクタにも実装密度を上げるべく、実装高さを低くすること（低背化）を含めて超小型化が求められている。
【０００３】
従来、この種のコネクタとして、上方に開放する開口部を有する絶縁性のハウジングと、このハウジングの開口部に臨むように配列される固定片部及び弾性片部を上下に対向させる複数のフォーク状接触子と、前記ハウジングの開口部を回動により開閉する絶縁性の蓋部材とを備えるものがある。
【０００４】
低背化を達成でき、しかも、蓋部材の開きや撓みを防止してＦＰＣに対する確実な導通を得るＦＰＣ用コネクタが開示されている（例えば、特許文献１）。
【０００５】
前述のＦＰＣ用コネクタにおいては、蓋部材の閉じ状態で、蓋部材における第１の端縁の加圧部が、第２の接触子の弾性片部上に配置されたＦＰＣと固定片部との間に挟持される。また、加圧部がＦＰＣを弾性片部側へ加圧する。加圧部が固定片部の係合凹部に当接する状態で、固定片部のストッパは、加圧部が固定片部の延びる方向へ逃げるのを防止するので、蓋部材の開きや撓みを防止できる。
【０００６】
【特許文献１】
特開２０００−４２９３９号公報
【０００７】
【発明が解決しようとする課題】
前述の特許文献１においては、蓋部材に埋設された第１の補強部材としての金属製のワイヤを有している。ワイヤの両端部には一対の第１の係合部としての係止突起が設けられている。各係止突起は、ハウジングに固定される第２の補強部材としての金属板からなる対応する補強タブの第２の係合部としてのロック溝に係止されて、蓋部材の閉じ状態をロックする。ワイヤの係止突起とロック溝とでロック機構が構成されている。
【０００８】
さらに、ハウジングの下板部の前部の両側縁から立ち上がる案内壁が立設されており、各案内壁は、蓋部材の閉じ状態で、蓋部材の側縁に形成された対応する凹溝内に導入され、蓋部材を左右方向の移動を規制している。
【０００９】
このように、従来のＦＰＣ用コネクタはロック機構や蓋部材の左右移動規制部材を設けるなど構成部材が多く、機構の簡略化が求められるという問題がある。また、ＦＰＣをＦＰＣ用コネクタに挿入したときに挿入容易となることや、接触子とＦＰＣの導線との位置合わせを確実にすることなど、更なる改善が求められているという問題もある。
【００１０】
本発明は、上述した課題を解決すべく、簡易な構成であり、ＦＰＣを容易に挿入でき、しかも、接触子への位置合わせが容易なＦＰＣ用コネクタおよびこれを用いた携帯電話機を提供することを目的とする。
【００１１】
【課題を解決するための手段】
発明者は、上記目的を満たすため、鋭意研究を重ね新たなＦＰＣ用コネクタおよびこれを用いた携帯電話機を発明した。
【００１２】
より具体的には、本発明は、以下のようなものを提供する。
【００１３】
（１）  電線対プリント基板接続用コネクタにおいて電線にＦＰＣが用いられ、当該ＦＰＣが挿抜されるＦＰＣ用コネクタであって、当該ＦＰＣが挿抜される端末差込口を備える絶縁性のソケットハウジングであって、当該端末差込口に臨むように配列されている複数のＣ形ばね状接触子を備えるソケットハウジングと、前記端末差込口を開閉するように前記ソケットハウジングに回転結合されていると共に、前記ソケットハウジングに前記ＦＰＣが挿入されて前記端末差込口を閉じた状態では前記複数のＣ形ばね状接触子を加圧して当該Ｃ形ばね状接触子と前記ＦＰＣにおける平面端末とを接続させる絶縁性のカバーハウジングと、を備え、前記ソケットハウジングは、前記ＦＰＣの挿入方向に対向するように突出している下板部を備え、前記カバーハウジングは、前記下板部における両側面を挟むように相対向する第１の案内片と第２の案内片とこれら両案内片を一体にする天板部とを有し、当該第１の案内片、当該第２の案内片、当該天板部の内壁によって凹字状が形成されており、前記第１の案内片と前記第２の案内片との内壁間の間隔は前記ＦＰＣの幅より僅かに大きく形成されており、前記ＦＰＣが前記ソケットハウジングの端末差込口に挿入される過程では、挿入される当該ＦＰＣは前記第１の案内片と前記第２の案内片との内壁に規制されて当該ＦＰＣにおける露出導線と前記複数のＣ形ばね状接触子との列方向の位置合わせを可能としていることを特徴とするＦＰＣ用コネクタ。
【００１４】
（１）記載の発明によれば、「電線対プリント基板接続用コネクタにおいて電線にＦＰＣが用いられ、当該ＦＰＣが挿抜されるＦＰＣ用コネクタであって、当該ＦＰＣが挿抜される端末差込口を備える絶縁性のソケットハウジングであって、当該端末差込口に臨むように配列されている複数のＣ形ばね状接触子を備えるソケットハウジングと、前記端末差込口を開閉するように前記ソケットハウジングに回転結合されていると共に、前記ソケットハウジングに前記ＦＰＣが挿入されて前記端末差込口を閉じた状態では前記複数のＣ形ばね状接触子を加圧して当該Ｃ形ばね状接触子と前記ＦＰＣにおける平面端末とを接続させる絶縁性のカバーハウジングと、を備え、前記ソケットハウジングは、前記ＦＰＣの挿入方向に対向するように突出している下板部を備え、前記カバーハウジングは、前記下板部における両側面を挟むように相対向する第１の案内片と第２の案内片とこれら両案内片を一体にする天板部とを有し、当該第１の案内片、当該第２の案内片、当該天板部の内壁によって凹字状が形成されており、前記第１の案内片と前記第２の案内片との内壁間の間隔は前記ＦＰＣの幅より僅かに大きく形成されており、前記ＦＰＣが前記ソケットハウジングの端末差込口に挿入される過程では、挿入される当該ＦＰＣは前記第１の案内片と前記第２の案内片との内壁に規制されて当該ＦＰＣにおける露出導線と前記複数のＣ形ばね状接触子との列方向の位置合わせを可能としている」ので、前記第１の案内片と前記第２の案内片との内壁にＦＰＣを当接させて挿入させることが容易となる。そして、この状態から更にＦＰＣを挿入させることにより、当該ＦＰＣにおける露出導線と前記複数のＣ形ばね状接触子との列方向の位置合わせを容易とさせる。さらには、下板部がカバーハウジングの左右の動作を規制するので、従来のＦＰＣ用コネクタに使用されていた蓋部材の左右移動規制部材を不要とし、機構を簡略化できるようになった。
【００１５】
（２）  （１）記載のＦＰＣ用コネクタにおいて、前記カバーハウジングを閉じる過程では、当該カバーハウジングにおける回転軸側の終縁は当該ＦＰＣを前記Ｃ形ばね状接触子側に送り出すように作用し、前記カバーハウジングが閉じられた状態では、前記Ｃ形ばね状接触子における弾性下腕は当該ＦＰＣの露出導線に接触するとともに当該ＦＰＣを押し上げる力を付勢しており、前記Ｃ形ばね状接触子における弾性上腕は当該ＦＰＣに当接している前記カバーハウジングを押し下げる力を付勢しているとともに前記カバーハウジングを開閉可能に保持しており、前記弾性下腕は当該ＦＰＣを介して当該カバーハウジングが閉じる方向に回転するように押圧していることを特徴とするＦＰＣ用コネクタ。
【００１６】
（２）記載の発明によれば、「（１）記載のＦＰＣ用コネクタにおいて、前記カバーハウジングを閉じる過程では、当該カバーハウジングにおける回転軸側の終縁は当該ＦＰＣを前記Ｃ形ばね状接触子側に送り出すように作用し、前記カバーハウジングが閉じられた状態では、前記Ｃ形ばね状接触子における弾性下腕は当該ＦＰＣの露出導線に接触するとともに当該ＦＰＣを押し上げる力を付勢しており、前記Ｃ形ばね状接触子における弾性上腕は当該ＦＰＣに当接している前記カバーハウジングを押し下げる力を付勢しているとともに前記カバーハウジングを開閉可能に保持しており、前記弾性下腕は当該ＦＰＣを介して当該カバーハウジングが閉じる方向に回転するように押圧している」ので、弾性下腕は常にカバーハウジングが閉じる状態を保持する。したがって、従来のＦＰＣ用コネクタに使用されていたロック機構を不要とし、機構を簡略化できるようになった。
【００１７】
（３）  （１）あるいは（２）いずれか記載のＦＰＣ用コネクタにおいて、前記複数のＣ形ばね状接触子は０．５ｍｍピッチで配列されており、当該Ｃ形ばね状接触子は４極から２０極まで配列可能とすることを特徴とするＦＰＣ用コネクタ。
【００１８】
（４）  （１）から（３）いずれか記載のＦＰＣ用コネクタがバックライトモジュールに実装されており、当該バックライトモジュールが搭載されていることを特徴とする携帯電話機。
【００１９】
【発明の実施の形態】
以下に、本発明の実施の形態について図面に基づいて説明する。
【００２０】
図１は、本発明による一実施の形態のＦＰＣ用コネクタとＦＰＣとの構成を示す斜視図である。図１における実施の形態では、ＦＰＣ用コネクタ１（以下、コネクタ１と略称する）は、前方からＦＰＣ２が挿抜される挿抜空間を区画する絶縁性のソケットハウジング３を備えている。ソケットハウジング３においては、ＦＰＣ２が挿入される端末差込口３０が上板部３１と下板部３２とで形成されている。
【００２１】
また、複数のＣ形ばね状接触子５が端末差込口３０に臨むようにソケットハウジング３に配列されている。複数のＣ形ばね状接触子５は、ＦＰＣ２のソケットハウジング３への挿入方向と平行して配置されている。
【００２２】
そして、ソケットハウジング３における端末差込口３０を開閉するように絶縁性のカバーハウジング４は、ソケットハウジング３に回転結合されている。
【００２３】
図１の実施の形態において、剛性部材となる支軸８はカバーハウジング４を貫通しており、カバーハウジング４の両外壁からは支軸８が突出する係止突起Ｃが形成されている。
【００２４】
補強金具６０及び７０はそれぞれソケットハウジング３に圧入されて固定されており、補強金具６０及び７０におけるそれぞれの突出部６１及び７１はカバーハウジング４の両翼に配置されている。そして、突出部６１及び７１は係止突起Ｃをそれぞれ保持する半Ｕ字溝６２及び７２が形成されている。
【００２５】
この実施の形態において、ソケットハウジング３はＦＰＣ２の挿入方向に対向するように突出している下板部３２が形成されている。カバーハウジング４は当該下板部３２における両側面を挟むように相対向する第１の案内片４Ａと第２の案内片４Ｂとこれら両案内片４Ａ及び４Ｂを一体にする天板部４Ｃとを有している。そして、案内片４Ａと案内片４Ｂと天板部４Ｃとよって、カバーハウジング４の内壁は凹字状に形成されている。
【００２６】
案内片４Ａと案内片４Ｂとの内壁間の間隔はＦＰＣ２の幅より僅かに大きく形成されており、ＦＰＣ２がソケットハウジング３の端末差込口３０に挿入される過程では、挿入されるＦＰＣ２は案内片４Ａと案内片４Ｂとの内壁に規制されて、ＦＰＣ２における露出導線とＣ形ばね状接触子５との列方向の位置合わせを可能としている。
【００２７】
引き続き、図１における各断面図を用いて実施の形態によるコネクタ１の構成を図２により説明する。
【００２８】
図２（ａ）は補強金具７０を含む縦断面図、図２（ｂ）はＣ形ばね状接触子５を含む縦断面図、図２（ｃ）は図２（ｂ）においてＦＰＣ２が挿入された状態図である。
【００２９】
図２（ａ）の断面図において、係止突起Ｃは、半Ｕ字溝７２とソケットハウジング３の前面壁とに挟まれて回転自在に保持されている。ソケットハウジング３の前面壁の上部稜は係止突起Ｃ側に僅かに突出している。このため、係止突起Ｃに下から突き上げる力が作用しても、言い換えれば、支軸８に下から突き上げる力が作用しても、カバーハウジング４はソケットハウジング３から分離することはない。
【００３０】
一方、補強金具６０及び７０における下端部６３（図１参照）及び７３は、バックライトモジュールにおけるプリント基板９（図２（ｃ）参照）にハンダ付け等で固定される。また、複数のＣ形ばね状接触子５は、ソケットハウジング３の成型品に圧入固定されており、Ｃ形ばね状接触子５におけるリード部５３はプリント基板９（図２（ｃ）参照）にハンダ付け等で固定される。このようにして、ソケットハウジング３はプリント基板９に固着される。
【００３１】
図２（ｂ）はカバーハウジング４が閉じた状態図である。図２（ｂ）において、符号５１はＣ形ばね状接触子５における弾性上腕であり、符号５２はＣ形ばね状接触子５における弾性下腕である。カバーハウジング４には、櫛形の切り欠き溝４Ｄが形成され（図１参照）、切り欠き溝４Ｄに支軸８が部分露出している。そして、弾性上腕５１は支軸８を回転自在に保持すると共に、支軸８を押し下げる力を付勢している。
【００３２】
一方、ソケットハウジング３における下板部３２には、櫛形の有底切り欠き溝３Ｄが形成されている（図１参照）。そして、弾性下腕５２は有底切り欠き溝３Ｄ内に配置され、弾性下腕５２の弾性変形を許容している。
【００３３】
図２（ｃ）は、カバーハウジング４が閉じられた状態であり、かつ、ＦＰＣ２がソケットハウジング３に挿入された状態である。図２（ｃ）においては、Ｃ形ばね状接触子５における弾性下腕５２はＦＰＣ２の露出導線に接触するとともにＦＰＣを押し上げる力を付勢している。一方、Ｃ形ばね状接触子５における弾性上腕５１は当該ＦＰＣ２に当接しているカバーハウジング４を押し下げる力を付勢している。
【００３４】
次に、本発明の作用を説明する。図１の状態から、ＦＰＣ２を下板部３２に載せる。次に、図２（ｂ）に示されるように、カバーハウジング４を反時計方向に回転して閉じる。カバーハウジング４を閉じる以前には、ＦＰＣ２の先端はＣ形ばね状接触子５における弾性下腕５２の斜面部に当接している。
【００３５】
カバーハウジング４を閉じる過程では、カバーハウジング４における回転軸側の終縁Ｅは当該ＦＰＣ２をＣ形ばね状接触子５側に送り出すように作用する。また、カバーハウジング４を閉じる過程では、挿入される当該ＦＰＣ２は案内片４Ａと案内片４Ｂとの内壁に規制されて当該ＦＰＣ２における露出導線と複数のＣ形ばね状接触子５との列方向の位置合わせを可能としている。
【００３６】
更に、カバーハウジング４を閉じる過程では、カバーハウジング４は下板部３２における両側面によってその左右の動作を規制される。更に、案内片４Ａ及び４Ｂにおけるそれぞれの下辺に形成された薄肉部４２Ａ及び４２Ｂがカバーハウジング４の前面壁内の凹部に入り、その左右の動作を規制される。
【００３７】
次に、ＦＰＣ２をコネクタ１に挿入後の作用を図３により説明する。図３は図２（ｃ）の拡大断面図である。
【００３８】
図３において、弾性上腕５１は支軸８を軸受凹部５５で回転自在に保持するとともに、弾性上腕５１は支軸８を押し下げる力を付勢している。一方、弾性下腕５２における山形突起５４はＦＰＣ２の露出導体に点接触しているとともに、弾性下腕５２はＦＰＣ２並びにカバーハウジング４を押し上げる力を付勢している。
【００３９】
図３においては、弾性下腕５２における山形突起５４の接点は、支軸８の軸中心より挿入側に位置している。つまり、弾性下腕５２はカバーハウジング４が反時計方向に回る力を与えている。言い換えれば、弾性下腕５２はカバーハウジング４を閉じる力を付与している。このように、本発明は構成したので、従来のようなロック機構を不要とした。
【００４０】
また、本発明によるＦＰＣ用コネクタの他の実施の形態を図４の外観図により説明する。図４（ａ）におけるＦＰＣ用コネクタ１００は複数のＣ形ばね状接触子５は０．５ｍｍピッチで配列されており、Ｃ形ばね状接触子５は１０極配列されている。図４（ｂ）におけるＦＰＣ用コネクタ２００は複数のＣ形ばね状接触子５は０．５ｍｍピッチで配列されており、Ｃ形ばね状接触子５は２０極配列されている。このように、本発明のＦＰＣ用コネクタにおいては、複数のＣ形ばね状接触子５は０．５ｍｍピッチで配列されており、Ｃ形ばね状接触子５は４極から２０極まで配列可能とした。
【００４１】
また、本発明による技術的思想によれば、本発明のコネクタに適用される電線はＦＰＣに限定されることなくＦＦＣ（Ｆｌｅｘｉｂｌｅ  Ｆｌａｔ  Ｃａｂｌｅ）も可能とする。
【００４２】
【発明の効果】
本発明によれば、「電線対プリント基板接続用コネクタにおいて電線にＦＰＣが用いられ、当該ＦＰＣが挿抜されるＦＰＣ用コネクタであって、当該ＦＰＣが挿抜される端末差込口を備える絶縁性のソケットハウジングであって、当該端末差込口に臨むように配列されている複数のＣ形ばね状接触子を備えるソケットハウジングと、前記端末差込口を開閉するように前記ソケットハウジングに回転結合されていると共に、前記ソケットハウジングに前記ＦＰＣが挿入されて前記端末差込口を閉じた状態では前記複数のＣ形ばね状接触子を加圧して当該Ｃ形ばね状接触子と前記ＦＰＣにおける平面端末とを接続させる絶縁性のカバーハウジングと、を備え、前記ソケットハウジングは、前記ＦＰＣの挿入方向に対向するように突出している下板部を備え、前記カバーハウジングは、前記下板部における両側面を挟むように相対向する第１の案内片と第２の案内片とこれら両案内片を一体にする天板部とを有し、当該第１の案内片、当該第２の案内片、当該天板部の内壁によって凹字状が形成されており、前記第１の案内片と前記第２の案内片との内壁間の間隔は前記ＦＰＣの幅より僅かに大きく形成されており、前記ＦＰＣが前記ソケットハウジングの端末差込口に挿入される過程では、挿入される当該ＦＰＣは前記第１の案内片と前記第２の案内片との内壁に規制されて当該ＦＰＣにおける露出導線と前記複数のＣ形ばね状接触子との列方向の位置合わせを可能としている」ので、前記第１の案内片と前記第２の案内片との内壁にＦＰＣを当接させて挿入させることが容易となる。そして、この状態から更にＦＰＣを挿入させることにより、当該ＦＰＣにおける露出導線と前記複数のＣ形ばね状接触子との列方向の位置合わせを容易とさせる。さらには、下板部がカバーハウジングの左右の動作を規制するので、従来のＦＰＣ用コネクタに使用されていた蓋部材の左右移動規制部材を不要とし、機構を簡略化できるようになった。
【００４３】
また、本発明によれば、「前記カバーハウジングを閉じる過程では、当該カバーハウジングにおける回転軸側の終縁は当該ＦＰＣを前記Ｃ形ばね状接触子側に送り出すように作用し、前記カバーハウジングが閉じられた状態では、前記Ｃ形ばね状接触子における弾性下腕は当該ＦＰＣの露出導線に接触するとともに当該ＦＰＣを押し上げる力を付勢しており、前記Ｃ形ばね状接触子における弾性上腕は当該ＦＰＣに当接している前記カバーハウジングを押し下げる力を付勢しているとともに前記カバーハウジングを開閉可能に保持しており、前記弾性下腕は当該ＦＰＣを介して当該カバーハウジングが閉じる方向に回転するように押圧している」ので、弾性下腕は常にカバーハウジングが閉じる状態を保持する。したがって、従来のＦＰＣ用コネクタに使用されていたロック機構を不要とし、機構を簡略化できるようになった。
【図面の簡単な説明】
【図１】本発明における一実施の形態のＦＰＣ用コネクタとＦＰＣとの構成を示す斜視図である。
【図２】本発明における図１における各断面図を用いた実施の形態によるＦＰＣ用コネクタの構成図である。
【図３】本発明におけるＦＰＣをコネクタに挿入後の作用を説明する拡大断面図である。
【図４】本発明におけるＦＰＣ用コネクタの他の実施の形態を示す外観図である。
【符号の説明】
１  ＦＰＣ用コネクタ（コネクタ）
２  ＦＰＣ
３  ソケットハウジング
３Ｄ  有底切り欠き溝
４  カバーハウジング
４Ａ  案内片
４Ｂ  案内片
４Ｃ  天板部
４Ｄ  切り欠き溝
５  Ｃ形ばね状接触子
８  支軸
９  プリント基板
３０  端末差込口
３１  上板部
３２  下板部
４２Ａ  薄肉部
４２Ｂ  薄肉部
５１  弾性上腕
５２  弾性下腕
５３  リード部
５４  山形突起
５５  軸受凹部
６０  補強金具
６１  突出部
６２  半Ｕ字溝
６３  下端部
７０  補強金具
７１  突出部
７２  半Ｕ字溝
７３  下端部
１００  ＦＰＣ用コネクタ
２００  ＦＰＣ用コネクタ
Ｃ  係止突起
Ｅ  終縁
【図１】
2004193080.tif 000003
【図２】
2004193080.tif 000004
【図３】
2004193080.tif 000005
【図４】
2004193080.tif 000006